(57)【要約】【課題】放熱ファンの設置数が多いプラズマディスプレイ装置においても、放熱ファンの動作状態を、誤検出を低減して安定に監視する。【解決手段】プラズマディスプレイパネルと、駆動回路と、プラズマディスプレイパネルまたは駆動回路を冷やすための複数の放熱手段５４とを備え、放熱手段は、気流を発生するとともに動作状態を判別するための動作状態判別信号を出力する複数の放熱ファン６０と、放熱ファン６０に電力を供給する電源５２と、複数の動作状態判別信号の論理演算を行う論理演算回路５１とを備え、第１の放熱手段５４ａの論理演算回路５１ａの出力信号が、第２の放熱手段５４ｂの論理演算回路５１ｂに入力されるように、複数の放熱手段５４を直列に接続するとともに、最終段を除く論理演算回路５１の出力信号を、最終段の論理演算回路５１ｄの出力信号よりも高い電圧にする。【選択図】図６
2009145547.tif 000002
【特許請求の範囲】
【請求項１】
画像を表示するプラズマディスプレイパネルと、
前記プラズマディスプレイパネルを駆動するための駆動回路と、
前記プラズマディスプレイパネルまたは前記駆動回路を冷やすための複数の放熱手段とを備え、
前記放熱手段は、気流を発生するとともに動作状態を判別するための動作状態判別信号を出力する複数の放熱ファンと、
前記放熱ファンに電力を供給する電源と、
複数の前記動作状態判別信号の論理演算を行う論理演算回路とを備え、
第１の放熱手段の前記論理演算回路の出力信号が、第２の放熱手段の前記論理演算回路に入力されるように、複数の前記放熱手段を直列に接続することを特徴とするプラズマディスプレイ装置。
【請求項２】
最終段を除く前記論理演算回路の出力信号を、最終段の前記論理演算回路の出力信号よりも高い電圧にすることを特徴とする請求項１に記載のプラズマディスプレイ装置。
【請求項３】
プラズマディスプレイ装置の電源オン／オフの制御を行う制御回路を備え、
前記制御回路は、最終段の前記論理演算回路からの出力信号にもとづきプラズマディスプレイ装置の電源をオフにすることを特徴とする請求項１に記載のプラズマディスプレイ装置。
【請求項４】
画像を表示するプラズマディスプレイパネルを、
前記プラズマディスプレイパネルを駆動する駆動回路と、
前記プラズマディスプレイパネルまたは前記駆動回路を冷やすために、気流を発生するとともに動作状態を判別するための動作状態判別信号を出力する複数の放熱ファンと、前記放熱ファンに電力を供給する電源と、複数の前記動作状態判別信号の論理演算を行う論理演算回路とを有する放熱放熱手段とを用いて駆動するプラズマディスプレイパネルの駆動方法であって、
第１の放熱手段の前記論理演算回路の出力信号が、第２の放熱手段の前記論理演算回路に入力されるように、複数の前記放熱手段を直列に接続することを特徴とするプラズマディスプレイパネルの駆動方法。
【請求項５】
最終段を除く前記論理演算回路の出力信号を、最終段の前記論理演算回路の出力信号よりも高い電圧にすることを特徴とする請求項４に記載のプラズマディスプレイパネルの駆動方法。
【請求項６】
最終段の前記論理演算回路からの出力信号にもとづきプラズマディスプレイ装置の電源をオフにすることを特徴とする請求項４に記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、表示を行うべき放電セルに選択的に書込みパルス電圧を印加して書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
しかしながら、パネルの大画面化、高精細度化が進むにつれて、各電極を駆動する駆動回路やパネルにおける消費電力が増えて発熱量が増大しており、これにともなうプラズマディスプレイ装置の温度上昇が問題となってきている。
【０００７】
そこで、パネルの背面に放熱板を装着するとともに排気用の放熱ファンを設け、バックカバーに設けた排気孔から放熱ファンを介して放熱することでプラズマディスプレイ装置の温度上昇を抑制する技術が開示されている（例えば、特許文献１参照）。
【特許文献１】特開平９−２３３４０６号公報
【発明の開示】
【発明が解決しようとする課題】
【０００８】
近年ではパネルの更なる大画面化が進められており、従来にはなかった巨大なパネルも生産されるようになってきている。このような巨大なパネルを用いたプラズマディスプレイ装置では、従来とは比較にならないほどの大きな熱が発生するため、プラズマディスプレイ装置の温度上昇を抑制するためには多くの放熱ファンが必要となる。
【０００９】
また、複数の放熱ファンをパネルの背面全面に偏りなく配置するためには、放熱ファンを駆動する回路を搭載したプリント基板も、複数枚必要となる。
【００１０】
一方、何らかの原因により放熱ファンに動作不良が発生した場合、例えばプラズマディスプレイ装置を安全に停止させる等の対応を速やかにとるために、放熱ファンの動作不良の発生を直ちに検知することが重要である。
【００１１】
一般には、このような動作不良の発生の有無は電気信号に変換され、プラズマディスプレイ装置に備えられたマイクロコンピューター等を用いて監視される。そのため、動作不良の発生の有無を検知するための電気信号は、マイクロコンピューターの電源電圧に合わせて発生させるのが一般的である。
【００１２】
しかしながら、上述したような巨大なパネルでは、駆動時に大電流が流れるため、マイクロコンピューターの電源電圧のように比較的低い電圧で電気信号を発生させると、電気信号にノイズが混入しやすく、放熱ファンの動作状態が誤検出される恐れがある。また、放熱ファンの設置数が増え、放熱ファンを駆動するためのプリント基板が複数枚になると、誤検出の可能性はその分大きくなる。
【００１３】
本発明は、これらの課題に鑑みなされたものであり、大画面化されたパネルを用い放熱ファンの設置数が多いプラズマディスプレイ装置においても、放熱ファンの動作状態を、誤検出を低減して安定に監視することができるプラズマディスプレイ装置およびパネルの駆動方法を提供することを目的とする。
【課題を解決するための手段】
【００１４】
本発明のプラズマディスプレイ装置は、画像を表示するパネルと、パネルを駆動するための駆動回路と、パネルまたは駆動回路を冷やすための複数の放熱手段とを備え、放熱手段は、気流を発生するとともに動作状態を判別するための動作状態判別信号を出力する複数の放熱ファンと、放熱ファンに電力を供給する電源と、複数の動作状態判別信号の論理演算を行う論理演算回路とを備え、第１の放熱手段の論理演算回路の出力信号が、第２の放熱手段の論理演算回路に入力されるように、複数の放熱手段を直列に接続することを特徴とする。
【００１５】
これにより、大画面化されたパネルを用い放熱ファンの設置数が多いプラズマディスプレイ装置においても、放熱ファンの動作状態を、誤検出を低減して安定に監視することが可能となる。
【００１６】
また、このプラズマディスプレイ装置においては、最終段を除く論理演算回路の出力信号を、最終段の論理演算回路の出力信号よりも高い電圧にすることを特徴とする。これにより、誤検出をさらに低減することが可能となる。
【００１７】
また、このプラズマディスプレイ装置は、プラズマディスプレイ装置の電源オン／オフの制御を行う制御回路を備え、制御回路は、最終段の論理演算回路からの出力信号にもとづきプラズマディスプレイ装置の電源をオフにすることを特徴とする。これにより、放熱ファンに動作不良が発生した場合に、速やかにプラズマディスプレイ装置の動作を停止させることができる。
【００１８】
また、本発明のパネルの駆動方法は、画像を表示するパネルを、パネルを駆動する駆動回路と、パネルまたは駆動回路を冷やすために、気流を発生するとともに動作状態を判別するための動作状態判別信号を出力する複数の放熱ファンと、放熱ファンに電力を供給する電源と、複数の動作状態判別信号の論理演算を行う論理演算回路とを有する放熱手段とを用いて駆動するパネルの駆動方法であって、第１の放熱手段の論理演算回路の出力信号が、第２の放熱手段の論理演算回路に入力されるように、複数の放熱手段を直列に接続することを特徴とする。
【００１９】
これにより、大画面化されたパネルを用い放熱ファンの設置数が多いプラズマディスプレイ装置においても、放熱ファンの動作状態を、誤検出を低減して安定に監視することが可能となる。
【００２０】
また、本発明のパネルの駆動方法は、最終段を除く論理演算回路の出力信号を、最終段の論理演算回路の出力信号よりも高い電圧にすることを特徴とする。これにより、誤検出をさらに低減することが可能となる。
【００２１】
また、本発明のパネルの駆動方法は、最終段の前記論理演算回路からの出力信号にもとづきプラズマディスプレイ装置の電源をオフにすることを特徴とする。これにより、放熱ファンに動作不良が発生した場合に、速やかにプラズマディスプレイ装置の動作を停止させることができる。
【発明の効果】
【００２２】
本発明によれば、大画面化されたパネルを用い放熱ファンの設置数が多いプラズマディスプレイ装置においても、放熱ファンの動作状態を、誤検出を低減して安定に監視することができるプラズマディスプレイ装置およびパネルの駆動方法を提供することが可能となる。
【発明を実施するための最良の形態】
【００２３】
以下、本発明の実施の形態におけるプラズマディスプレイ装置について、図面を用いて説明する。
【００２４】
（実施の形態）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２５】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２６】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２７】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２８】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２９】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００３０】
次に、パネル１０を駆動するための駆動電圧波形とその動作の概要について説明する。本実施の形態におけるプラズマディスプレイ装置は、１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００３１】
図３は、本発明の一実施の形態におけるパネル１０の各電極に印加する駆動電圧波形図である。なお、本実施の形態では、１フィールドを１０のサブフィールド（第１ＳＦ、第２ＳＦ、・・・、第１０ＳＦ）で構成し、各サブフィールドはそれぞれ、例えば（１、２、３、６、１１、１８、３０、４４、６０、８０）の輝度重みを持つものとする。また、以下における走査電極ＳＣｉ、維持電極ＳＵｉ、データ電極Ｄｋは、画像データにもとづき選択された電極を表す。
【００３２】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する。
【００３３】
この上りランプ波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３４】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに初期化放電を発生させる初期化動作が終了する。
【００３５】
なお、図３の第２ＳＦの初期化期間に示したように、初期化期間の前半部を省略した駆動電圧波形を各電極に印加してもよい。この初期化動作では、前のサブフィールドの維持期間で維持放電を起こした放電セルにのみ初期化放電が発生し、前のサブフィールドで維持放電を起こさなかった放電セルについては放電は発生しない。
【００３６】
続く書込み期間では、まず維持電極ＳＵ１〜維持電極ＳＵｎに電圧Ｖｅ２を、走査電極ＳＣ１〜走査電極ＳＣｎに電圧Ｖｃを印加する。
【００３７】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。これにより、データ電極Ｄｋと走査電極ＳＣ１との間に放電が発生する。また、この放電を引き金にして、データ電極Ｄｋと交差する領域にある維持電極ＳＵ１と走査電極ＳＣ１との間に放電が発生する。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３８】
以上の書込み動作をｎ行目の放電セルに至るまで行い、書込み期間が終了する。
【００３９】
続く維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉと維持電極ＳＵｉとの間に維持放電が起こり、このとき発生した紫外線により蛍光体層３５が発光する。書込み期間において書込み放電が起きなかった放電セルでは維持放電は発生せず、初期化期間の終了時における壁電圧が保たれる。
【００４０】
以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４１】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００４２】
なお、本実施の形態は、サブフィールド数や各サブフィールドの輝度重みが上記の値に限定されるものではなく、また、画像信号等にもとづいてサブフィールド構成を切換える構成であってもよい。
【００４３】
図４は、本発明の一実施の形態におけるプラズマディスプレイ装置の回路ブロック図である。プラズマディスプレイ装置１は、パネル１０と、パネル１０を駆動する駆動回路と、パネル１０または駆動回路を冷やすための複数の放熱手段５４と、制御回路４６と、各回路ブロックに必要な電源を供給する電源回路（図示せず）とを有する。駆動回路として、画像信号処理回路４１、データ電極駆動回路４２、走査電極駆動回路４３、維持電極駆動回路４４、タイミング発生回路４５を備え、放熱手段５４として、放熱ファン駆動回路５０、複数の放熱ファン６０を備えている。
【００４４】
画像信号処理回路４１は、入力された画像信号ｓｉｇをサブフィールド毎の発光・非発光を示す画像データに変換する。データ電極駆動回路４２はサブフィールド毎の画像データを各データ電極Ｄ１〜データ電極Ｄｍに対応する信号に変換し各データ電極Ｄ１〜データ電極Ｄｍを駆動する。
【００４５】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路（図示せず）、書込み期間において走査電極ＳＣ１〜走査電極ＳＣｎに印加する走査パルス電圧を発生するための走査パルス発生回路（図示せず）を有し、タイミング発生回路４５が発生するタイミング信号にもとづいて各走査電極ＳＣ１〜走査電極ＳＣｎをそれぞれ駆動する。維持電極駆動回路４４は、維持パルス発生回路および電圧Ｖｅ１、電圧Ｖｅ２を発生するための回路を備え、タイミング信号にもとづいて維持電極ＳＵ１〜維持電極ＳＵｎを駆動する。
【００４６】
放熱ファン６０は、放熱ファン駆動回路５０から供給される電力でファンを回転させて気流を発生させ、プラズマディスプレイ装置１の筐体内から筐体外への排気を行い、筐体内の熱を放熱し、パネル１０または駆動回路を冷却する。また、放熱ファン６０は、自身の動作状態が正常動作なのか動作不良なのかを判別するための動作状態判別信号、具体的には、正常動作時にはＬｏ（例えば、０（Ｖ））、ファンの回転が停止する等の動作不良時にはＨｉ（例えば、１５（Ｖ））となる動作状態判別信号を出力する。
【００４７】
放熱ファン駆動回路５０は、複数の放熱ファン６０に電力を供給する電源と、放熱ファン６０から出力される動作状態判別信号を受信して論理演算を行う論理演算回路とを備え、放熱ファン６０のいずれかに動作不良が発生したとき（ここでは、動作状態判別信号がＨｉとなったとき）には、放熱ファン６０に動作不良が発生したことを示す信号を制御回路４６に出力する。
【００４８】
制御回路４６は、マイクロコンピューター（図示せず）を有し、プラズマディスプレイ装置１の全体的な制御を行う。例えば、使用者がリモートコントロールスイッチ（以下、「リモコン」と略記する）４８を操作することでリモコン４８から発せられる信号をリモコン受光部４７で受信すると、その受信した信号にもとづき、プラズマディスプレイ装置１の電源のオン／オフやチャンネル変更（図示せず）等の制御を行う。そして、放熱ファン駆動回路５０から放熱ファン６０の動作不良を示す信号が出力されたときには、緊急時動作として、タイミング発生回路４５に対して直ちにパネル１０の駆動を停止することを指示する信号を出力するとともに、プラズマディスプレイ装置１の電源をオフにする。
【００４９】
タイミング発生回路４５は水平同期信号Ｈ、垂直同期信号Ｖおよび制御回路４６からの出力信号をもとにして各回路ブロックの動作を制御する各種のタイミング信号を発生し、それぞれの回路ブロックへ供給する。そして、制御回路４６からパネル１０の駆動を停止することを指示する信号が出力された場合には、各回路ブロックに、各動作を停止させるためのタイミング信号を出力する。
【００５０】
図５は、本発明の一実施の形態におけるプラズマディスプレイ装置の各駆動回路を搭載したプリント基板の配置の一例を示す平面図である。
【００５１】
本実施の形態においては、パネル１０は５０インチのパネルと比較しても巨大であり、そのため、図５に示すように、走査電極駆動回路４３は、複数（例えば、３枚）の走査電極駆動用プリント基板７１に分割して搭載し、同様に、維持電極駆動回路４４も、複数（例えば、３枚）の維持電極駆動用プリント基板７２に分割して搭載した構成としている。
【００５２】
走査電極駆動用プリント基板７１は、フレキシブル配線板（以下、「ＦＰＣ」という）７６によりパネル１０の走査電極ＳＣ１〜走査電極ＳＣｎに接続されている。そして、走査電極駆動回路４３から出力される駆動電圧は、ＦＰＣ７６を介して、各走査電極ＳＣ１〜走査電極ＳＣｎに印加される。
【００５３】
また、維持電極駆動用プリント基板７２は、ＦＰＣ７７によりパネル１０の維持電極ＳＵ１〜維持電極ＳＵｎに接続されている。そして、維持電極駆動回路４４から出力される駆動電圧は、ＦＰＣ７７を介して、各維持電極ＳＵ１〜維持電極ＳＵｎに印加される。
【００５４】
データ電極駆動回路４２は、書込みパルスを発生させるための回路を４枚の書込みパルス発生用プリント基板７３にそれぞれ搭載し、書込みパルスを出力するための回路を複数（例えば、１２枚）の書込みパルス出力用プリント基板７４に分割して搭載している。
【００５５】
書込みパルス発生用プリント基板７３および書込みパルス出力用プリント基板７４は、書込みパルス発生用プリント基板７３と書込みパルス出力用プリント基板７４とを互いに電気的に接続するためのブリッジコネクタ７５を有し、ＦＰＣ７８によりパネル１０のデータ電極に接続されている。そして、データ電極駆動回路４２から出力される駆動電圧は、ＦＰＣ７８を介して、データ電極Ｄｋに印加される。
【００５６】
放熱ファン駆動プリント基板７９は、放熱ファン駆動回路５０を搭載しており、放熱ファン６０に電力を供給するための電力線および放熱ファン６０から出力される動作状態判別信号を受け取るための信号線によって、放熱ファン６０と電気的に接続されている。
【００５７】
なお、本実施の形態では、放熱効果を高めるために、プラズマディスプレイ装置１に複数（本実施の形態では、４８個）の放熱ファン６０を備えている。これら複数の放熱ファン６０をパネル１０の背面全面に偏りなく配置するため、４枚の放熱ファン駆動プリント基板７９を設け、１枚の放熱ファン駆動プリント基板７９に複数（ここでは、１２個）の放熱ファン６０を接続する構成としている。
【００５８】
制御回路搭載プリント基板８０は、マイクロコンピューター（図示せず）を含む制御回路４６を搭載しており、プラズマディスプレイ装置１の全体的な制御を行う。そして、放熱ファン駆動回路５０から放熱ファン６０の動作不良を示す信号が出力されたときには、タイミング発生回路４５に対して直ちにパネル１０の駆動を停止することを指示する信号を出力するとともに、プラズマディスプレイ装置１の電源をオフにする。
【００５９】
なお、図５に示す配置例は、単なる一例に過ぎず、プリント基板の枚数や各プリント基板に搭載する駆動回路の構成、あるいは１枚の放熱ファン駆動プリント基板７９に接続する放熱ファン６０の数や放熱ファン６０の総数等は、パネル１０のサイズやプラズマディスプレイ装置の仕様、あるいは放熱ファン６０の仕様等に合わせて適宜最適に設定すればよい。
【００６０】
次に、放熱ファン駆動回路５０と放熱ファン６０との接続の詳細について説明する。図６は、本発明の一実施の形態における放熱ファン駆動回路５０と放熱ファン６０との一接続例を示す回路ブロック図である。
【００６１】
上述したように、本実施の形態におけるプラズマディスプレイ装置１は、放熱ファン駆動回路５０と複数の放熱ファン６０とで構成される放熱手段５４を複数（例えば、放熱手段５４ａ〜放熱手段５４ｄの４つを）有する。
【００６２】
放熱ファン６０は、放熱ファン駆動回路５０から供給される電力でファンを回転させ、正常動作時にはＬｏ（例えば、０（Ｖ））、ファンの回転が停止する等の動作不良時にはＨｉ（例えば、１５（Ｖ））となる動作状態判別信号を出力する。なお、図面中、動作状態判別信号および論理演算回路５１の出力信号の傍らに示す記号は、Ｌｏ時に０（Ｖ）、Ｈｉ時に１５（Ｖ）の信号が出力されることを表す。
【００６３】
放熱ファン駆動回路５０は、電源５２、論理演算回路５１を備えている。電源５２は、接続された全て（例えば、１２個）の放熱ファン６０に電力を供給する。論理演算回路５１は、接続された全て（例えば、１２個）の放熱ファン６０から出力される動作状態判別信号を入力とし、入力される全ての動作状態判別信号の論理和演算を行う。動作状態判別信号はファンの回転が停止する等の動作不良時にはＨｉ（例えば、１５（Ｖ））となるため、論理演算回路５１の出力は、接続された放熱ファン６０の全てが正常動作であればＬｏ（例えば、０（Ｖ））となり、そのうち１つでも動作不良が発生すればＨｉ（例えば、１５（Ｖ））となる。
【００６４】
また、本実施の形態では、各放熱手段５４を直列に接続して各論理演算回路５１を直列に接続し、論理演算回路５１の出力信号を次段の論理演算回路５１の入力とする。具体的には、第１の放熱手段５４ａが有する論理演算回路５１ａの出力を第２の放熱手段５４ｂが有する論理演算回路５１ｂの入力とし、論理演算回路５１ｂの出力を第３の放熱手段５４ｃが有する論理演算回路５１ｃの入力とし、論理演算回路５１ｃの出力を第４の放熱手段５４ｄが有する論理演算回路５１ｄの入力とする。さらに、論理演算回路５１間の受け渡しに使用する信号、すなわち、論理演算回路５１ａ、論理演算回路５１ｂ、論理演算回路５１ｃの出力信号を１５（Ｖ）の電圧で発生させている。そして、最終段の論理演算回路５１ｄの出力信号を、制御回路４６内のマイクロコンピューター（図示せず）に用いる電源電圧（ここでは、５（Ｖ））に合わせて、ツェナーダイオード５３により５（Ｖ）に制限し、マイクロコンピューターに入力している。最終段の論理演算回路５１ｄの出力は、プラズマディスプレイ装置１が備える全て（例えば、４８個）の放熱ファン６０が正常動作であればＬｏ（０（Ｖ））となり、そのうち１つでも動作不良が発生すればＨｉ（５（Ｖ））となるので、これにより、マイクロコンピューターは、プラズマディスプレイ装置１が備える全ての放熱ファン６０の動作状態を監視することができる。そして、本実施の形態では、放熱ファン６０のうち１つでも動作不良が発生すれば、緊急時動作として、速やかにパネル１０の駆動を停止し、プラズマディスプレイ装置１の電源をオフにするように構成している。
【００６５】
この本実施例の形態のように、プラズマディスプレイ装置の各駆動回路を搭載したプリント基板とともに複数の放熱ファン６０を配置し、各放熱ファン６０の動作状態を各放熱ファン６０の論理演算回路５１を用いて管理し、さらに複数の論理演算回路５１を直列に接続し、最終段の論理演算回路５１からの出力信号を制御回路に入力するので、複数の放熱ファン６０の状態を即座に把握し、その状態に応じてパネル１０の駆動を制御することができ、パネル１０の割れや駆動回路の破壊を防ぐことができる。
【００６６】
さらに、本実施の形態では、上述したように、論理演算回路５１間の受け渡しに使用する信号を１５（Ｖ）の電圧で発生させ、最終段の論理演算回路５１ｄの出力信号のみを５（Ｖ）にしているが、これは次のような理由による。
【００６７】
本実施の形態のプラズマディスプレイ装置１において、パネル１０の面積が大きいものになるほど駆動時に流れる電流も大電流となる。そのため、電圧値の低い電気信号ではノイズが発生しやすい。また、信号線の配線長が長くなると、ノイズがより発生しやすくなり、さらには基準電位（ここでは、接地電位である０（Ｖ））の変動が大きくなりやすいという可能性もある。従って論理演算回路５１間の受け渡しに使用する信号を、マイクロコンピューターの電源電圧に合わせて５（Ｖ）にすれば、論理演算回路５１の出力信号を、そのままマイクロコンピューターの入力として用いることもできるが、比較的電圧値の低い５（Ｖ）の信号には上述したようにノイズが発生しやすく、特に、本実施の形態に示すように、パネル１０の背面全面に配置された複数の放熱ファン６０の動作状態を監視するような場合、信号線の配線長も長くなるため、さらにノイズが発生しやすくなる。
【００６８】
発生するノイズのレベル（振幅）や基準電位の変動量が変わらなければ、信号の電圧を上げることで、Ｓ／Ｎ比（Ｓｉｇｎａｌ  Ｎｏｉｓｅ  Ｒａｔｉｏ：信号に対するノイズの比率）を改善することができ、誤検出の恐れを低減することができる。そこで、本実施の形態では、論理演算回路５１間の受け渡しを比較的高い電圧（例えば、１５（Ｖ））で発生させた信号で行う構成とし、Ｓ／Ｎ比を改善させる。また、最終段の論理演算回路５１の出力のみをマイクロコンピューターの電源電圧に応じた電圧（例えば、５（Ｖ））に制限する構成とし、低電圧（ここでは、５（Ｖ））の信号を通す信号線の配線長を最低限に抑えられるようにする。
【００６９】
これにより、たとえ本実施の形態のように放熱ファン６０の動作状態を監視するための信号線の配線長が長くなったとしても、ノイズの発生を低減し、放熱ファン６０の動作状態が誤検出される恐れを低減することができる。
【００７０】
以上説明したように、本実施の形態によれば、放熱手段５４ａ〜放熱手段５４ｄを直列に接続して論理演算回路５１ａ〜論理演算回路５１ｄを直列に接続し、かつ論理演算回路５１間の受け渡しに使用する信号を、最終段の論理演算回路５１ｄの出力信号よりも高い電圧（例えば、１５（Ｖ））で発生させ、最終段の論理演算回路５１ｄの出力信号のみをマイクロコンピューターの電源電圧に応じた電圧（例えば、５（Ｖ））に制限することで、大画面のパネル１０を用いたプラズマディスプレイ装置１において、放熱ファン６０の動作状態を、誤検出を低減して安定に監視することが可能となる。
【００７１】
なお、本実施の形態では、論理演算回路５１で論理和演算を行う構成を説明したが、論理和を行う演算回路としては、例えば、一般に知られたワイヤードオア回路がある。ワイヤードオア回路は比較的少ない素子数で目的とする演算回路を構成することができ、望ましいが、何らこの回路に限定されるものではなく、デジタル回路等に一般に使用されるオアゲート回路等を用いて同様の演算回路を構成することもできる。また、論理演算回路５１の出力部分に、一般に用いられているインピーダンス変換回路を設けると、論理演算回路５１の出力インピーダンスを下げることができ、さらにノイズに強い回路構成とすることができる。
【００７２】
また、本実施の形態では、放熱ファン６０から正常動作時にＬｏ、動作不良時にはＨｉとなる動作状態判別信号を出力する構成を説明したが、例えば、正常動作時にはＬｏ、動作不良時にはハイインピーダンスとなる動作状態判別信号を出力させる構成としてもかまわない。このような場合、動作状態判別信号を、抵抗を介して所定の電圧にプルアップすることで、ハイインピーダンス時にＨｉにさせることができる。あるいは、正常動作時にＨｉ、動作不良時にＬｏとなる動作状態判別信号を出力させる構成であってもかまわない。ただし、その場合には、論理演算回路５１は、論理和ではなく、論理積演算を行うように回路構成しなければならない。このような場合、最終段の論理演算回路から出力される信号は、全ての放熱ファン６０が正常動作していればＨｉ、いずれか１つでも動作不良が発生すればＬｏとなる。
【００７３】
なお、本実施の形態では、放熱ファン６０に動作不良が発生したときに、緊急時動作として、パネル１０の駆動を停止しプラズマディスプレイ装置１の電源をオフにする構成を説明したが、これは、実施の形態における一例を挙げたに過ぎず、何らこの動作に限定されるものではない。例えば、緊急時動作の他の例としては、表示画像の輝度を下げて消費電力を下げ、発熱量を抑えるといった構成であってもよい。また、プラズマディスプレイ装置１に、動作不良の発生を示すための表示装置（例えば、ＬＥＤ等）を設け、その表示部に動作不良の発生を示す表示をさせる（例えば、ＬＥＤを点灯させる）構成としてもよい。あるいは、電源のオン／オフを示す表示装置等を利用し、その表示装置を点滅させる等して動作不良の発生を示す構成としてもよい。
【００７４】
なお、本実施の形態では、最終段の論理演算回路５１の出力電圧をツェナーダイオード５３を用いて制限する構成を説明したが、その他の手段、例えば、抵抗分割等の一般に用いられる電圧降下手段によって電圧制限する構成としてもかまわない。
【００７５】
なお、本実施の形態で挙げた具体的な各数値、例えば、放熱手段の数や論理演算回路の出力に用いる電圧、放熱ファン６０の総数等は単なる一例に過ぎず、何らこれらの数値に限定されるものではない。これらの数値はパネルの特性やプラズマディスプレイ装置の仕様等に応じて最適に設定することが望ましい。また、これらの数値は、上述した効果を得られる範囲でのばらつきを許容するものとする。
【産業上の利用可能性】
【００７６】
本発明は、大画面化されたパネルを用い放熱ファンの設置数が多いプラズマディスプレイ装置においても、放熱ファンの動作状態を、誤検出を低減して安定に監視することができるプラズマディスプレイ装置およびパネルの駆動方法として有用である。
【図面の簡単な説明】
【００７７】
【図１】本発明の一実施の形態におけるパネルの構造を示す分解斜視図
【図２】同パネルの電極配列図
【図３】同パネルの各電極に印加する駆動電圧波形図
【図４】本発明の一実施の形態におけるプラズマディスプレイ装置の回路ブロック図
【図５】同プラズマディスプレイ装置の各駆動回路を搭載したプリント基板の配置の一例を示す平面図
【図６】本発明の一実施の形態における放熱ファン駆動回路と放熱ファンとの一接続例を示す回路ブロック図
【符号の説明】
【００７８】
１    プラズマディスプレイ装置
１０    パネル（プラズマディスプレイパネル）
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
４６    制御回路
４７    リモコン受光部
４８    リモコン（リモートコントロールスイッチ）
５０    放熱ファン駆動回路
５１    論理演算回路
５２    電源
５３    ツェナーダイオード
５４    放熱手段
６０    放熱ファン
７１    走査電極駆動用プリント基板
７２    維持電極駆動用プリント基板
７３    書込みパルス発生用プリント基板
７４    書込みパルス出力用プリント基板
７５    ブリッジコネクタ
７６，７７，７８    ＦＰＣ（フレキシブル配線板）
７９    放熱ファン駆動プリント基板
８０    制御回路搭載プリント基板
【図１】
2009145547.tif 000003
【図２】
2009145547.tif 000004
【図３】
2009145547.tif 000005
【図４】
2009145547.tif 000006
【図５】
2009145547.tif 000007
【図６】
2009145547.tif 000008